【手続補正書】
【提出日】平成19年1月9日(2007.1.9)
【手続補正１】
【補正対象書類名】明細書
【補正対象項目名】発明の名称
【補正方法】変更
【補正の内容】
【発明の名称】バックアップ記憶装置
【手続補正２】
【補正対象書類名】明細書
【補正対象項目名】特許請求の範囲
【補正方法】変更
【補正の内容】
【特許請求の範囲】
【請求項１】  データの読み出しが可能な第一記憶手段と、データの読み出し及び書き込みが可能な第二記憶手段と、前記第一及び前記第二記憶手段との間でデータのやり取りが可能な第三記憶手段と、前記第一乃至第三記憶手段を管理する制御手段とを有し、各種のバックアップデータを記憶するバックアップ記憶装置であって、
前記第三記憶手段は、前記バックアップデータが正常に書き込まれているかを判別するための判別符号を有し、前記制御手段は、前記第二記憶手段から前記バックアップデータを前記第三記憶手段に格納する際に、最初に前記第三記憶手段の判別符号を不正化し、その後全ての前記バックアップデータを前記第三記憶手段に格納し、最後に前記第三記憶手段の判別符号を正しい判別符号にして格納することを特徴とするバックアップ記憶装置。
【請求項２】  前記第一記憶手段は固定記憶手段であり、前記第二記憶手段は揮発性記憶手段であり、前記第三記憶手段は不揮発性記憶手段であることを特徴とする請求項１記載のバックアップ記憶装置。
【請求項３】  前記第一記憶手段は、前記第三記憶手段の判別符号の正否を判定するための判別符号を有することを特徴とする請求項１又は２記載のバックアップ記憶装置。
【請求項４】  前記制御手段は、前記第三記憶手段の判別符号の正否を判定し、前記判別符号が不正である場合は、前記第三記憶手段に蓄積された前記バックアップデータが不正であると判断し、前記第二記憶手段の記憶領域に前記第一記憶手段のデータを転送する制御を行うことを特徴とする請求項１乃至３の何れかに記載のバックアップ記憶装置。
【請求項５】  更に、エラーを表示する表示手段を有し、前記制御手段は、前記第三記憶手段の判別符号の正否を判定し、前記判別符号が不正である場合は、エラーが発生したと判断すると共に、前記第三記憶手段に蓄積された前記バックアップデータが不正であると判断し、前記第二記憶手段の記憶領域に前記第一記憶手段のデータを転送する制御を行うと共に、前記表示手段にエラーを表示する制御を行うことを特徴とする請求項１乃至３の何れかに記載のバックアップ記憶装置。
【請求項６】  前記第三記憶手段は、複数装備が可能であることを特徴とする請求項１乃至５の何れかに記載のバックアップ記憶装置。
【請求項７】  前記バックアップ記憶装置は、画像形成装置に適用され、前記バックアップデータは、画像形成を行う記録紙のサイズを示すデータ、前記記録紙の向きを示すデータ、画像形成を行った枚数を示すデータの何れかを含むことを特徴とする請求項１乃至６の何れかに記載のバックアップ記憶装置。
【手続補正３】
【補正対象書類名】明細書
【補正対象項目名】０００１
【補正方法】変更
【補正の内容】
【０００１】
【発明の属する技術分野】
本発明は、バックアップ記憶装置に関し、特に、簡単な制御手順でバックアップデータの正常の有無を判断する場合に好適なバックアップ記憶装置に関する。
【手続補正４】
【補正対象書類名】明細書
【補正対象項目名】００１０
【補正方法】変更
【補正の内容】
【００１０】
本発明は、上述した点に鑑みなされたものであり、バックアップデータが正常であるか否かの判断を可能とし、システムの暴走や誤動作を防ぐことを可能とし、蓄積されたデータが不正であることを示すエラーを表示することを可能としたバックアップ記憶装置を提供することを目的とする。
【手続補正５】
【補正対象書類名】明細書
【補正対象項目名】００１１
【補正方法】変更
【補正の内容】
【００１１】
【課題を解決するための手段】
上記目的を達成するため、請求項１記載の発明は、データの読み出しが可能な第一記憶手段と、データの読み出し及び書き込みが可能な第二記憶手段と、前記第一及び前記第二記憶手段との間でデータのやり取りが可能な第三記憶手段と、前記第一乃至第三記憶手段を管理する制御手段とを有し、各種のバックアップデータを記憶するバックアップ記憶装置であって、前記第三記憶手段は、前記バックアップデータが正常に書き込まれているかを判別するための判別符号を有し、前記制御手段は、前記第二記憶手段から前記バックアップデータを前記第三記憶手段に格納する際に、最初に前記第三記憶手段の判別符号を不正化し、その後全ての前記バックアップデータを前記第三記憶手段に格納し、最後に前記第三記憶手段の判別符号を正しい判別符号にして格納することを特徴とする。
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
上記目的を達成するため、請求項６記載の発明は、前記第三記憶手段は、複数装備が可能であることを特徴とする。
【手続補正８】
【補正対象書類名】明細書
【補正対象項目名】００１８
【補正方法】変更
【補正の内容】
【００１８】
上記目的を達成するため、請求項７記載の発明は、前記バックアップ記憶装置は、画像形成装置に適用され、前記バックアップデータは、画像形成を行う記録紙のサイズを示すデータ、前記記録紙の向きを示すデータ、画像形成を行った枚数を示すデータの何れかを含むことを特徴とする。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００８３
【補正方法】変更
【補正の内容】
【００８３】
【発明の効果】
以上説明したように、本発明によれば、第三記憶手段（不揮発性記憶手段）へデータをバックアップする際に、最初に判別符号領域を不正化した後にバックアップデータを格納し、全てのバックアップデータを格納後、判別符号領域を正常な値に戻す手法により、例えば停電やコンセント抜け等により、バックアップ制御途中で処理が中断した場合は、判別符号領域に不正な値が入っていることになり、また、正常に全てのバックアップ制御が終了したのなら、判別符号領域に正しい値が入っていることになり、判別符号領域のみを確認することで、バックアップデータが正常であるか否かの判断が可能となる効果を奏する。
【手続補正２４】
【補正対象書類名】明細書
【補正対象項目名】００８４
【補正方法】変更
【補正の内容】
【００８４】
また、本発明によれば、第三記憶手段（不揮発性記憶手段）のバックアップデータが不正であると判断した場合、第一記憶手段（固定記憶手段）に蓄えられている初期データを第二記憶手段（揮発性記憶手段）の領域に展開することにより、例えばアクチュエータ等を装備したシステムにおいて不定データが展開されることが無くなり、システムの暴走や誤動作を防ぐことが可能となる効果を奏する。
【手続補正２５】
【補正対象書類名】明細書
【補正対象項目名】００８５
【補正方法】変更
【補正の内容】
【００８５】
また、本発明によれば、第三記憶手段（不揮発性記憶手段）の判別符号が正しくなかった場合、即ち、第三記憶手段（不揮発性記憶手段）に蓄積されたデータが不正であると判断した場合、第三記憶手段（不揮発性記憶手段）に蓄積されたデータが不正であることを示すエラーを表示することが可能となる効果を奏する。